(57)【要約】【課題】一般の弦楽器の共鳴胴を利用して加振器によって豊かな音響を発生させる。【解決手段】ギター１００は、ネック１６及び共鳴胴１０を有し、共鳴胴１０は、表板１１、裏板１２及び側板１３から構成される。スタンド２０は、側面視でＵ字またはコ字状を呈し、前アーム２１の各々には、表板１１を加振するためのトランスデューサＴｒＦが設けられる。後アーム２２には、裏板１２を加振するためのトランスデューサＴｒＢが設けられる。スタンド２０のＵ字状部分に共鳴胴１０を挿入して被支持部１９を底部２３に当接させ、トランスデューサＴｒＢがある側（後方）へ共鳴胴１０を傾倒させることで、トランスデューサＴｒＦ、ＴｒＢがそれぞれ、表板１１、裏板１２に当接する。トランスデューサＴｒに駆動信号として音響信号が供給されると振動し、表板１１、裏板１２が加振され、豊かな音響が発生する。【選択図】図１
2016045316.tif 000002
【特許請求の範囲】
【請求項１】
共鳴胴を有する弦楽器を支持する弦楽器の支持体であって、
駆動信号によって振動する加振器を有し、
前記支持体に前記弦楽器が支持されたとき、前記弦楽器の前記共鳴胴に前記加振器が当接して前記共鳴胴を加振するように構成されることを特徴とする弦楽器の支持体。
【請求項２】
前記支持体に前記弦楽器が支持されたとき、前記弦楽器の前記共鳴胴を構成する壁のうち、主として振動する少なくとも１つの主振動壁に、前記加振器が当接して該主振動壁を加振するように構成されることを特徴とする請求項１記載の弦楽器の支持体。
【請求項３】
前記主振動壁には、互いに対向位置にある第１の主振動壁と第２の主振動壁とがあり、
前記加振器には、前記第１の主振動壁を加振するための第１の加振器と前記第２の主振動壁を加振するための第２の加振器とがあることを特徴とする請求項２記載の弦楽器の支持体。
【請求項４】
前記支持体に前記弦楽器が支持された状態で、前記第１の主振動壁に略垂直な方向から見て、前記第１の加振器と前記第２の加振器との位置が異なっていることを特徴とする請求項３記載の弦楽器の支持体。
【請求項５】
前記加振器の、前記共鳴胴に当接する部分は凸曲面に形成されることを特徴とする請求項１〜４のいずれか１項に記載の弦楽器の支持体。
【請求項６】
互いに対向位置にあり主として振動する第１の主振動壁及び第２の主振動壁を備えた共鳴胴を有する弦楽器の前記共鳴胴を加振する、弦楽器の加振装置であって、
駆動信号によって振動し、前記第１の主振動壁に当接して前記第１の主振動壁を加振する第１の加振器と、
駆動信号によって振動し、前記第２の主振動壁に当接して前記第２の主振動壁を加振する第２の加振器と、を有することを特徴とする弦楽器の加振装置。
【発明の詳細な説明】
【技術分野】
【０００１】
本発明は、共鳴胴を有する弦楽器を支持する支持体、弦楽器の加振装置に関する。
【背景技術】
【０００２】
従来、アコースティックのギター、ベース、バイオリン、ウクレレ、マンドリン等、共鳴胴を有する弦楽器が知られている。例えばギターの共鳴胴は、表板、裏板及び側板から構成され、表板にはサウンドホールが形成される。弦の演奏により主として表板及び裏板が振動し、共鳴胴により共鳴して豊かな音響が発生する。
【０００３】
ところで、このような弦楽器で、演奏によらずに共鳴胴を利用して音響を発生させる装置が知られている。例えば、特許文献１では、ギターのサウンドホールにスピーカを取り付け、共鳴胴をスピーカのエンクロージャとして機能させている。また、ギター等の弦楽器本体に、弦振動を与えるはね等の振動体を設け、音響促進を図るようにした音響促進器も知られている（特許文献２）。
【先行技術文献】
【特許文献】
【０００４】
【特許文献１】実用新案登録第３１８８２５２号公報
【特許文献２】特開２００６−６５２７６号公報
【特許文献３】特開平５−２２７５８５号公報
【特許文献４】特開平５−２４４６７７号公報
【発明の概要】
【発明が解決しようとする課題】
【０００５】
しかしながら、特許文献１では、弦楽器にスピーカを取り付ける必要があり、またそのための何らかの加工も必要となるので、一般の（例えば、市販の）ギター等に広く適用できるものではない。また、特許文献２では、音響促進が図られるが、振動体による振動で音響自体を楽しむための構成ではない。
【０００６】
なお、弦楽器以外では、サウンドホールのある箱体に振動体を設け、箱体を振動させるスピーカも知られている（特許文献３、４）。しかしこれらも、一般的な弦楽器に広く適用できるものではない。
【０００７】
本発明は上記従来技術の問題を解決するためになされたものであり、その目的は、一般の弦楽器の共鳴胴を利用して加振器によって豊かな音響を発生させることができるようにすることにある。
【課題を解決するための手段】
【０００８】
上記目的を達成するために本発明の請求項１の弦楽器の支持体は、共鳴胴（１０）を有する弦楽器（１００）を支持する弦楽器の支持体（２０）であって、駆動信号によって振動する加振器（Ｔｒ）を有し、前記支持体に前記弦楽器が支持されたとき、前記弦楽器の前記共鳴胴に前記加振器が当接して前記共鳴胴を加振するように構成されることを特徴とする。
【０００９】
好ましくは、前記支持体に前記弦楽器が支持されたとき、前記弦楽器の前記共鳴胴を構成する壁のうち、主として振動する少なくとも１つの主振動壁（１１、１２）に、前記加振器が当接して該主振動壁を加振するように構成される（請求項２）。好ましくは、前記主振動壁には、互いに対向位置にある第１の主振動壁（１１）と第２の主振動壁（１２）とがあり、前記加振器には、前記第１の主振動壁を加振するための第１の加振器（ＴｒＦ）と前記第２の主振動壁を加振するための第２の加振器（ＴｒＢ）とがある（請求項３）。好ましくは、前記支持体に前記弦楽器が支持された状態で、前記第１の主振動壁に略垂直な方向から見て、前記第１の加振器と前記第２の加振器との位置が異なっている（請求項４）。好ましくは、前記加振器の、前記共鳴胴に当接する部分は凸曲面に形成される（請求項５）。
【００１０】
上記目的を達成するために本発明の請求項６の弦楽器の加振装置は、互いに対向位置にあり主として振動する第１の主振動壁（１１）及び第２の主振動壁（１２）を備えた共鳴胴（１０）を有する弦楽器（１００）の前記共鳴胴を加振する、弦楽器の加振装置（２０、１２０）であって、駆動信号によって振動し、前記第１の主振動壁に当接して前記第１の主振動壁を加振する第１の加振器（ＴｒＦ）と、駆動信号によって振動し、前記第２の主振動壁に当接して前記第２の主振動壁を加振する第２の加振器（ＴｒＢ）と、を有することを特徴とする。
【００１１】
なお、上記括弧内の符号は例示である。
【発明の効果】
【００１２】
本発明の請求項１によれば、一般の弦楽器の共鳴胴を利用して加振器によって豊かな音響を発生させることができる。
【００１３】
請求項２によれば、主振動壁を加振して豊かな音響を発生させることができる。請求項３によれば、対向する２つの壁を同時に振動させ、効率よく豊かな音響を発生させることができる。請求項４によれば、主振動壁ごとに、適した箇所を加振することができる。請求項５によれば、当接状態を確保しやすくして弦楽器の多くの種類に対応することができる。
【００１４】
本発明の請求項６によれば、一般の弦楽器の共鳴胴の対向する２つの壁を利用して加振器によって豊かな音響を発生させることができる。
【図面の簡単な説明】
【００１５】
【図１】本発明の第１の実施の形態に係る支持体の側面図（図（ａ））、正面図（図（ｂ））、側面図（図（ｃ））である。
【図２】制御部の構成を示すブロック図である。
【図３】トランスデューサの変形例を示す側面図（図（ａ）、（ｂ））、支持体の変形例を示す側面図（図（ｃ）、（ｄ））である。
【図４】第２の実施の形態に係る支持体の斜視図（図（ａ））、スタンドの変形例を示す斜視図（図（ｂ）、（ｃ））である。
【図５】第３の実施の形態に係る支持体の側面図（図（ａ））、正面図（図（ｂ））である。
【図６】スタンドの変形例を示す図（図（ａ）、（ｂ）、（ｃ））である。
【図７】第４の実施の形態に係る加振装置が取り付けられた弦楽器の側面図（図（ａ））、正面図（図（ｂ））である。
【発明を実施するための形態】
【００１６】
以下、本発明の実施の形態を図面を参照して説明する。
【００１７】
図１（ａ）、（ｂ）は、本発明の第１の実施の形態に係る支持体の側面図、正面図である。この支持体は、共鳴胴を有する弦楽器を支持するもので、弦楽器の一例としてアコースティックギター１００、支持体の一例としてギター用のスタンド２０を挙げる。なお、本発明が適用される支持体に支持される弦楽器としては、共鳴胴を有する弦楽器であればよく、例えば、アコースティックベース、バイオリン、ウクレレ、マンドリン等であってもよい。また、上記弦楽器としては、共鳴胴を有する弦楽器であればピックアップ等のセンサを備える電気弦楽器でもよく、例えば、エレクトリックアコースティックギター、ベース、バイオリン、ウクレレ、マンドリン等であってもよい。
【００１８】
図１（ａ）、（ｂ）に示すように、ギター１００は、ネック１６及び共鳴胴１０を有し、ネック１６から共鳴胴１０にかけて弦１４が張設される。共鳴胴１０は、表板１１、裏板１２及び側板１３から構成される。表板１１と裏板１２とは略平行に対向している。側板１３は概ね、表板１１の縁部１７と裏板１２の縁部１８とに連接する連接壁である。表板１１には、サウンドホール１５が形成される。表板１１及び裏板１２は、主として振動する主振動壁となる。
【００１９】
スタンド２０は、制御部１０１を有する。なお、制御部１０１はスタンド２０とは別体としてもよい。スタンド２０は、底部２３と２本の前アーム２１と１本の後アーム２２とを有し、これらが側面視でＵ字状（またはコ字状）を呈する。前アーム２１の各々には、表板１１を加振するためのトランスデューサＴｒＦがＵ字状の内側に向けて設けられる。後アーム２２には、裏板１２を加振するためのトランスデューサＴｒＢがＵ字状の内側に向けて設けられる。トランスデューサＴｒ（ＴｒＦ、ＴｒＢ）は、供給される音響信号（楽音信号）を駆動信号として振動し、対象を加振（励振）することで音響を発生させる加振器である。トランスデューサＴｒの駆動は制御部１０１によってなされるが、その詳細は図２で後述する。
【００２０】
スタンド２０の基本形状は、市販のものと同じでもよく、一般的な構成のスタンドに制御部１０１及びトランスデューサＴｒを設けることで本発明のスタンド２０を得ることも可能である。スタンド２０は、底部２３、前アーム２１及び後アーム２２により、ネック１６を上向きにした姿勢のギター１００の共鳴胴１０を支持する。底部２３が、共鳴胴１０を受ける主な支持部となる。ネック１６が上向きとなった姿勢における共鳴胴１０の下部、具体的には、側板１３、表板１１の縁部１７及び裏板１２の縁部１８が、底部２３に支持される被支持部１９となる。
【００２１】
スタンド２０にギター１００を支持させる際には、スタンド２０のＵ字状部分、すなわちトランスデューサＴｒＦとトランスデューサＴｒＢとの間に共鳴胴１０を挿入し、共鳴胴１０の被支持部１９を支持部（底部２３）に支持させる。ギター１００は一般的なものが想定される。従って、スタンド２０に汎用性を持たせるために、トランスデューサＴｒＦとトランスデューサＴｒＢとの間隔は、一般的なギターの共鳴胴の厚み（表板１１の外側面と裏板１２の外側面との距離）よりも大きく設定されている。
【００２２】
図１（ａ）では、スタンド２０のＵ字状部分に共鳴胴１０を挿入して被支持部１９を底部２３に当接させた直後の状態が示される。これに対し、図１（ｃ）では、ギター１００がスタンド２０に正常に支持された状態を示している。本実施の形態で、正常に支持された状態とは、被支持部１９が底部２３に支持された状態で、且つ、トランスデューサＴｒＦが表板１１に当接すると共に、トランスデューサＴｒＢが裏板１２に当接した状態をいう。
【００２３】
図１（ａ）に示すように、被支持部１９を底部２３に支持させた状態で、トランスデューサＴｒＦ、ＴｒＢがそれぞれ、表板１１、裏板１２に当接していない場合は、位置が高い側のトランスデューサＴｒＢがある側（後方）へ共鳴胴１０を傾倒させることで、トランスデューサＴｒＦ、ＴｒＢがそれぞれ、表板１１、裏板１２に当接する（図１（ｃ））。トランスデューサＴｒＦ、ＴｒＢが表板１１、裏板１２に当接する状態であれば、底部２３と当接する当接点は被支持部１９のうちどこでもよい。図１（ｃ）に示す例では、裏板１２の縁部１８が当接点Ｐ１となっている。
【００２４】
ギター１００がスタンド２０に正常に支持された状態において、表板１１に略垂直な方向から見て、トランスデューサＴｒＦとトランスデューサＴｒＢとの位置が異なっている。スタンド２０が床面に設置され、底部２３よりもトランスデューサＴｒＦ、ＴｒＢが高い状態で、トランスデューサＴｒＦよりもトランスデューサＴｒＢが上方に位置する。トランスデューサＴｒＢは、裏板１２における側板１３から比較的遠い位置に当接し、一方、トランスデューサＴｒＦは、トランスデューサＴｒＢと比べれば、表板１１における側板１３に近い位置に当接する。
【００２５】
このように、裏板１２は中域から低域の音響を発生させるのに適しており、加振効率を高めるべく、裏板１２の面方向における極力中央に近い位置を加振するようにトランスデューサＴｒＢが配置される。一方、表板１１は高域の音響を発生させるのに適しており、加振位置による加振効率の差異が小さいので、側板１３に近い位置にトランスデューサＴｒＦを配置してもよい。なお、表板１１、裏板１２のいずれについても、側板１３から遠い中央付近を加振すれば低域が強調され、側板１３に近い周辺付近を加振すれば低域が出にくくなって相対的に高域が強調される傾向がある。従って、これらの観点を考慮して加振位置を設定してもよい。
【００２６】
また、トランスデューサＴｒＦは、サウンドホール１５を避けた位置、あるいはブリッジやピックガード等の異物を避けた位置を加振するのが望ましいが、ブリッジやピックガード等、表板１１に固定されている部品を加振することで表板１１を間接的に加振するようにしてもよい。なお、トランスデューサＴｒＦ、ＴｒＢによる加振位置によって音響や定位が多少変化するので、それらを考慮してトランスデューサＴｒＦ、ＴｒＢの配置を設定してもよい。裏板１２から発生する低域の音響の定位はあまり明瞭に認識されないが、表板１１については特に定位の考慮が有用な場合もあるからである。なお、表板１１と裏板１２を共に加振すると、音響が表板１１と裏板１２との間（共鳴胴１０の厚み方向の略中心）に定位するので、加振による音響発生時には、楽器演奏による音響発生時に近い自然な定位感を得ることができる。
【００２７】
ところで、トランスデューサＴｒＦ、ＴｒＢの先端は球面等の凸曲面に形成されている。これは、ギター１００の形状種類やサイズによって、ギター１００がスタンド２０に正常に支持された状態における表板１１や裏板１２の角度が異なり得るからであり、当接状態を確保しやすくして多くの種類のギターに広く適用できるようにするためである。
【００２８】
図２は、制御部１０１の構成を示すブロック図である。
【００２９】
ＣＰＵ３１は、バス３６を介して、操作子３２からの入力を受け付けると共に、各種Ｉ／Ｆ（インターフェイス）３４、分配部３３、メモリ３５を制御する。ＣＰＵ３１は、図示はしないが、ＲＯＭ、ＲＡＭ、タイマ等を有する。各種Ｉ／Ｆ３４には、ＭＩＤＩインターフェイスや、楽音信号を入力するためのインターフェイス等が含まれる。
【００３０】
メモリ３５には、波形データ群ｄＦ、ｄＢが予め記憶されている。波形データ群ｄＦ、ｄＢは、それぞれ、ギター等の楽音波形をサンプリングして生成された１発音分のサンプリング波形データの集まりであり、音量エンベロープを有している。波形データ群ｄＦ、ｄＢは、それぞれトランスデューサＴｒＦ、ＴｒＢで発音させるためのデータである。
【００３１】
各種Ｉ／Ｆ３４からアナログの楽音信号が入力された場合は、分配部３３により高域用の楽音信号と中域・低域用の楽音信号とに分けられて、それぞれトランスデューサＴｒＦ、ＴｒＢに供給される。従って、トランスデューサＴｒＦとトランスデューサＴｒＢとでは受け持つ周波数帯域が異なっており、表板１１を加振するトランスデューサＴｒＦの方が高い周波数帯域を受け持つ。
【００３２】
また、各種Ｉ／Ｆ３４からＭＩＤＩ等でなる自動演奏データが入力された場合は、ＣＰＵ３１は、順次読み出される自動演奏データ中の音高や押鍵ベロシティ等の情報に基づいて、波形データ群ｄＦ、ｄＢから波形データを選択し、選択した波形データから波形信号を生成してそれを分配部３３に送る。すると、分配部３３は、送られた波形信号をアナログの楽音信号に変換し、それらをトランスデューサＴｒＦ、ＴｒＢに供給する。
【００３３】
なお、構成を簡単にする観点からは、ＣＰＵを設けることなく、音響信号用の入力端子を備えて、入力された音響信号でトランスデューサＴｒＦ、ＴｒＢが駆動されるように構成してもよい。
【００３４】
本実施の形態によれば、スタンド２０にギター１００を支持させると、共鳴胴１０にトランスデューサＴｒＦ、ＴｒＢが当接し、共鳴胴１０を加振できるので、一般の弦楽器（ギター１００）の共鳴胴を利用して加振器（トランスデューサＴｒＦ、ＴｒＢ）によって豊かな音響を発生させることができる。また、ギター１００をスタンド２０に支持させたまま、演奏することなく、トランスデューサＴｒＦ、ＴｒＢで共鳴胴１０を長い時間振動させることも可能である。これにより、ギター１００を演奏者が長時間弾き込んだ状態と同じように音色が向上する、いわゆるエイジングを促進する効果も期待できる。
【００３５】
また、トランスデューサＴｒＦ、ＴｒＢは、表板１１、裏板１２をそれぞれ加振するので、対向する２つの主振動壁（表板１１、裏板１２）を同時に振動させ、効率よく豊かな音響を発生させることができる。しかも、表板１１に略垂直な方向から見て、トランスデューサＴｒＦ、ＴｒＢの位置を異ならせたので、表板１１、裏板１２それぞれの適した箇所を加振することができる。
【００３６】
また、被支持部１９を底部２３に支持させたとき、トランスデューサＴｒＦ、ＴｒＢが表板１１、裏板１２に直ちに当接しない場合でも、共鳴胴１０を傾倒させることで簡単な支持操作で両者を当接状態にできる。
【００３７】
図３を用いて、本実施の形態の変形例を説明する。
【００３８】
図３（ａ）、（ｂ）は、トランスデューサＴｒの変形例を示す側面図である。まず図３（ａ）に示すように、トランスデューサＴｒＦは、角度可変のジョイント部２４を有すると共に、真直に起立状態となる方向に付勢されるのが望ましい。ジョイント部２４の例としては、例えば、ユニバーサルジョイントやジンバル等が挙げられる。トランスデューサＴｒＦの角度が可変となることで、トランスデューサＴｒＦが表板１１に適切に当接しやすくなる。また、図３（ｂ）に示すように、トランスデューサＴｒＦは、その一部に弾性部２５を有するように構成してもよい。弾性部２５の弾性変形によって、トランスデューサＴｒＦが表板１１に適切に当接しやすくなる。
【００３９】
ジョイント部２４または弾性部２５が採用され、なおかつ、トランスデューサＴｒＦ、ＴｒＢの先端が凸曲面に形成されているので、トランスデューサＴｒＦと表板１１とは点接触の当接でありながら十分な振動を伝達することができる。すなわち、ジョイント部２４や弾性部２５と凸曲面の先端形状とを組み合わせることで、多くの種類のギターで適切な当接状態を確保することができる。なお、振動の伝達効率の観点からすると、トランスデューサは加振面に対して面接触で当接するのが有利である。トランスデューサＴｒＦ、ＴｒＢの先端に平坦面を設けると共に、ジョイント部２４を採用すれば、加振面との面接触を確保することは可能である。しかし、トランスデューサの加振方向が加振面に対して略鉛直であれば特段問題はなく、上記のように凸曲面により点接触させる構成でも十分に振動伝達機能は果たされる。しかも点接触であれば、様々な当接状態で加振面に対して加振方向を略鉛直にできる利点がある。
【００４０】
このように、図３（ａ）または図３（ｂ）の構成により、機種による共鳴胴１０の寸法、形状の相違や置き方のばらつきを吸収し、多くの種類のギターに広く対応することができる。なお、トランスデューサＴｒＦの振動が表板１１に適切に伝達できる程度に、ジョイント部２４や弾性部２５には適切な硬さを設ける必要がある。トランスデューサＴｒＢについても図３（ａ）または図３（ｂ）の構成を適用できる。
【００４１】
図３（ｃ）、（ｄ）は、スタンド２０の変形例を示す側面図である。図３（ｃ）はギター１００の支持途中、図３（ｄ）は支持状態を示す。
【００４２】
図３（ｃ）に示すように、スタンド２０の底部２３と前アーム２１と後アーム２２とが側面視で呈するＵ字状部分において、前アーム２１と後アーム２２とを先端ほど互いに近くなるように構成する。これにより、トランスデューサＴｒＦとトランスデューサＴｒＢとの間隔を、図１（ａ）の例よりも小さく設定し、一般的なギターの共鳴胴の厚みよりも少し小さく設定する。さらに、スタンド２０において、前アーム２１及び後アーム２２の少なくとも一方については弾性により拡がり方向に曲がり得るようにする。
【００４３】
トランスデューサＴｒＦ、ＴｒＢ間に共鳴胴１０を挿入する段階で、共鳴胴１０の表板１１、裏板１２がトランスデューサＴｒＦ、ＴｒＢに当接する。ユーザは、そのまま共鳴胴１０をこじるようにして挿入を進めて被支持部１９を支持部（底部２３）に当接させる。その際、前アーム２１と後アーム２２（主に後アーム２２）が開く方向に弾性変形することでトランスデューサＴｒＦ、ＴｒＢ間の間隔が大きくなると共に、被支持部１９が底部２３に対向当接し、正常な支持状態となる。このように、簡単な支持操作によってトランスデューサＴｒＦ、ＴｒＢをそれぞれ表板１１、裏板１２に適度な力で適切に当接させることができる。なお、図３（ａ）、（ｂ）、（ｃ）の構成を適宜組み合わせて適用してもよい。
【００４４】
（第２の実施の形態）
ところで、共鳴胴１０の主振動壁を効率よく加振するために、ギター１００のうち主振動壁の振動を妨げない部分を、スタンド２０で支持される被支持部とするのが好ましい。第１の実施の形態では、被支持部１９（側板１３、表板１１の縁部１７または裏板１２の縁部１８）が支持される構成であった。本発明の第２の実施の形態では、ヘッド支持部を被支持部とする。
【００４５】
図４（ａ）は、第２の実施の形態に係る支持体の斜視図である。支持体であるスタンド２０は、上部に二股形状のヘッド支持部２６を有する。ユーザは、ギター１００のネック１６をヘッド支持部２６の二股部分に通し、ヘッド支持部２６にギター１００のヘッド９を引っ掛けることで、ギター１００を吊すようにヘッド支持部２６に保持させる。スタンド２０の下部において共鳴胴１０が位置する高さにトランスデューサＴｒＢが配置される。吊し状態となったギター１００の共鳴胴１０の裏板１２にトランスデューサＴｒＢが適度な力で当接する。
【００４６】
また、据え置き型のスタンド２０の変形例として、図４（ｂ）に示す構成が挙げられる。図４（ｂ）に示す例では、図４（ａ）の例とは異なり、ヘッド支持部２６はギター１００が前後に動いて倒れないように支える役割を果たす。スタンド２０の下部において共鳴胴１０の側板１３に当接する位置に、側板１３を加振するためのトランスデューサＴｒＳが２つ設けられる。この場合、ギター１００の主な荷重はトランスデューサＴｒＳが受ける。
【００４７】
なお、図４（ｂ）に示す例と図１（ａ）〜（ｃ）に示す例とを組み合わせた構成を採用してもよい。この場合、図１（ａ）〜（ｃ）のスタンド２０に対し、トランスデューサＴｒＦ、ＴｒＢに代えて、底部２３にトランスデューサＴｒＳを設ける。あるいはトランスデューサＴｒＦ、ＴｒＢは省略してもよい。このような組み合わせの構成の場合、図１（ａ）〜（ｃ）のように、被支持部１９が底部２３に支持されて、ギター１００の主な荷重を底部２３が受ける構成としてもよい。この場合、トランスデューサＴｒＳは側板１３に当接するが、ギター１００の荷重を大きくは受けない。なお、スタンド２０のＵ字状の設計によっては、トランスデューサＴｒＳが表板１１または裏板１２に当接するようにしてもよい。
【００４８】
なお、一般に、トランスデューサにはある程度の荷重がかかった方が音響は良好となる。従って、図４（ａ）に示す構成の場合、ギター１００の自重を利用してトランスデューサＴｒＢに適切な荷重がかかるよう、トランスデューサＴｒＢの突出量等を適切に設定するのがよい。あるいはトランスデューサＴｒＢの突出量を調整可能に構成してもよい。図４（ｂ）に示す構成の場合も、ギター１００の自重を利用してトランスデューサＴｒＳに適切な荷重がかかるようにして、音響が良好になるようにしてもよい。
【００４９】
また、図４（ｃ）に示す壁掛け吊し型のスタンド２０を採用してもよい。室内等の壁部８にスタンド２０の板状の取り付け部２８を固定する。取り付け部２８からは、延設部２９が壁部８から離れる方向に斜めに垂下延設される。延設部２９の下部にトランスデューサＴｒＢが設けられる。ヘッド支持部２６にギター１００のヘッド９を引っ掛けてギター１００を吊すと、共鳴胴１０の裏板１２にトランスデューサＴｒＢが適度な力で当接する。
【００５０】
なお、図４（ａ）または図４（ｃ）に示すようなネック吊し型の構成において、表板１１、裏板１２及び側板１３を加振するようにしてもよい。従って、図４（ａ）または図４（ｃ）の構成でトランスデューサＴｒＦ、ＴｒＳを追加してもよい。その場合の図４（ａ）の構成では、主な荷重をヘッド支持部２６が受けるようにしてもよい。
【００５１】
本実施の形態によれば、一般の弦楽器の共鳴胴を利用して加振器によって豊かな音響を発生させることに関し、第１の実施の形態と同様の効果を奏することができる。
【００５２】
（第３の実施の形態）
図５（ａ）、（ｂ）は、本発明の第３の実施の形態に係る支持体の側面図、正面図である。支持体であるスタンド２０は、底部７、背壁６を有し、背壁６の上部からは延設部２７が複数延設される。底部７には、表板１１、裏板１２、側板１３をそれぞれ加振するためのトランスデューサＴｒＦ、ＴｒＢ、ＴｒＳが設けられる。
【００５３】
ユーザは、トランスデューサＴｒＦ、ＴｒＢ間に共鳴胴１０を挿入し、背壁６に配置されたトランスデューサＴｒＳに側板１３を突き当てると共に、隣接する２本の延設部２７の間にギター１００のネック１６を通す。そして、背壁６の側にヘッド９を倒す。これにより、トランスデューサＴｒＦ、ＴｒＢ、ＴｒＳが、それぞれ表板１１、裏板１２、側板１３に当接する。なお、トランスデューサＴｒＦ、ＴｒＢ、ＴｒＳのうち一部を省略してもよい。
【００５４】
本実施の形態によると、比較的省スペースで多数の点を加振することができる。また、当該スタンド２０を連続して並べるか、あるいは２本の延設部２７の組を複数設けることで、比較的省スペースで多数のギターを同時に加振することができる。従って、複数ギターの加振による合奏や、ギター生産現場における複数ギターのエイジング工程等を効率的に行なうことができるという利点がある。
【００５５】
なお、スタンド２０に支持される際のギター１００の姿勢は起立姿勢に限られず、例えば、図６（ａ）に示すように、共鳴胴１０の厚み方向を略水平方向にしてギター１００を斜めに保持するスタンド２０にトランスデューサＴｒＦ、ＴｒＢを設けてもよい。
【００５６】
あるいは、図６（ｂ）、（ｃ）に示すように、共鳴胴１０の厚み方向を略鉛直方向にしてギター１００の共鳴胴１０を保持するスタンド２０にトランスデューサＴｒＦ、ＴｒＢを設けてもよい。具体的には、図６（ｂ）、（ｃ）に示すスタンド２０は、底部４３からアーム４１を延設し、底部４３にトランスデューサＴｒＢを設けると共に、アーム４１にトランスデューサＴｒＦを設ける。底部４３には、トランスデューサＴｒＢを囲むようにテーパ面である支持面４２が形成される。
【００５７】
ユーザが、共鳴胴１０をトランスデューサＴｒＦ、ＴｒＢ間に挿入すると、共鳴胴１０の自重により裏板１２の縁部１８が支持面４２に支持される。トランスデューサＴｒＢは、ジョイント部２４を有すると共に、真直に起立状態となる方向に付勢されている。縁部１８が支持面４２に当接すると、適度な荷重がトランスデューサＴｒＢにかかるように、裏板１２にトランスデューサＴｒＢが当接する。それと共に、トランスデューサＴｒＦも、アーム４１の弾性によって適度な力で表板１１に当接する。
【００５８】
本実施の形態によれば、一般の弦楽器の共鳴胴を利用して加振器によって豊かな音響を発生させることに関し、第１の実施の形態と同様の効果を奏することができる。
【００５９】
（第４の実施の形態）
図１〜図６で説明したものは、弦楽器を支持する支持体であることを前提とした。しかし、弦楽器の共鳴胴を利用して加振器によって豊かな音響を発生させるという観点からは、必ずしも支持体（スタンド）として認識される構成のものでなくてもよい。例えば、弦楽器の加振装置として認識されるものであってもよい。図１〜図６で説明した構成のスタンド２０も加振装置として把握することは可能である。
【００６０】
本発明の第４の実施の形態では、弦楽器の加振装置に特化した構成を説明する。図７（ａ）、（ｂ）は、第４の実施の形態に係る加振装置が取り付けられた弦楽器の側面図、正面図である。
【００６１】
この加振装置１２０は、ヘッドホン型の装置であり、側面視でＵ字状に構成される。加振装置１２０のブリッジ部１２３の両側からアーム１２１、１２２が延びている。長い方のアーム１２２にトランスデューサＴｒＢが設けられ、短い方のアーム１２１にトランスデューサＴｒＦが設けられる。加振装置１２０は、図３（ｃ）、（ｄ）で説明したスタンド２０と同様に構成し、アーム１２１、１２２の少なくとも一方は弾性を有し、トランスデューサＴｒＦ、ＴｒＢ間の間隔については、一般的なギターの共鳴胴の厚みよりも少し小さく設定される。アーム１２１は、ネック１６の幅より大きい間隔を保って２本設けられる。制御部の図示は省略されている。
【００６２】
加振装置１２０は、共鳴胴１０の厚み方向が水平方向となるように何らかの支持体でギター１００を支持した状態で用いることが想定される。例えば、図７（ａ）、（ｂ）に示すように、ネック１６が上方に延びるように起立したギター１００の共鳴胴１０を加振装置１２０のＵ字状部分で挟むように上方から係合させる。すると、ブリッジ部１２３の下面が係合部Ｋ１となると共に、側板１３の上部（ネック１６の近傍部分）が被係合部Ｋ２となって、係合部Ｋ１が被係合部Ｋ２に係合される。その際、トランスデューサＴｒＦ、ＴｒＢに挟まれる共鳴胴１０においては、アーム１２１、１２２の弾性によって、表板１１、裏板１２にトランスデューサＴｒＦ、ＴｒＢがそれぞれ適度な力で当接する。
【００６３】
これにより、一般の弦楽器の共鳴胴の対向する２つの壁を利用して加振器によって豊かな音響を発生させることができる。
【００６４】
なお、図７（ａ）、（ｂ）では、起立姿勢のギター１００に引っ掛ける形態の加振装置１２０を例示したが、加振装置１２０の使用時のギター１００の姿勢は問わない。また、弦楽器の被係合部（Ｋ２）に係合される係合部（Ｋ１）を有する加振装置１２０であって、互いに対向位置にある２つの主振動壁を加振するようにトランスデューサＴｒを設ける加振装置であれば、本発明を適用可能である。
【００６５】
係合の態様は例示したものに限られず、問わないが、主振動壁を効率よく加振するためには、被係合部（Ｋ２）は、弦楽器のうち主振動壁の振動を妨げない部分とするのが望ましい。
【００６６】
なお、係合部Ｋ１や被係合部Ｋ２を設けることは必須でない。すなわち、加振装置１２０が、トランスデューサＴｒだけで楽器に接し、トランスデューサＴｒが共鳴胴を挟むような態様（例えば図７を例にとると、ブリッジ部１２３がギター１００に接することなく浮いている態様）で使用される構成であってもよい。これは加振装置１２０をユーザが手で把持して使用する場合等が想定される。
【００６７】
ところで、図１〜図３で説明したスタンド２０を加振装置として把握する場合は、被支持部１９が被係合部Ｋ２に相当し、底部２３が係合部Ｋ１に相当する。図４、図５で説明したスタンド２０を加振装置として把握する場合は、ヘッド９またはネック１６が被係合部Ｋ２に相当し、ヘッド支持部２６、延設部２７が係合部Ｋ１に相当する。図６（ｂ）、（ｃ）で説明したスタンド２０を加振装置として把握する場合は、縁部１８が被係合部Ｋ２に相当し、支持面４２が係合部Ｋ１に相当する。
【００６８】
なお、図１〜図６で説明したスタンド２０の構成のうち、加振装置１２０に適用可能なものは適用してもよい。例えば、表板１１に略垂直な方向から見て、トランスデューサＴｒＦ、ＴｒＢの加振位置が異なる構成、トランスデューサＴｒＦ、ＴｒＢで受け持つ周波数帯域が異なる構成、トランスデューサＴｒＦ、ＴｒＢの先端を凸曲面に形成する点等については、加振装置１２０にも適用できる。
【００６９】
なお、上記各実施の形態において、同じ面を加振するためのトランスデューサＴｒの数は１つでも複数でもよい。また、例示した構成の通りに複数の面を同時に加振することは必須でなく、一部のトランスデューサＴｒを省略した構成であってもよい。さらに、主振動壁を加振するものに限られず、共鳴胴１０のうち主振動壁以外の部分（側板１３、表板１１の縁部１７、裏板１２の縁部１８等）だけを加振するものも本発明から除外されるものではない。
【００７０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施の形態や変形例の一部を適宜組み合わせてもよい。
【符号の説明】
【００７１】
１０  共鳴胴、  １１  表板（第１の主振動壁）、  １２  裏板（第２の主振動壁）、  １３  側板（連接壁）、  １７、１８  縁部、  １９  被支持部、  ２０  スタンド、  ２３  底部（支持部）、  １００  アコースティックギター（弦楽器）、  １２０  加振装置、  ＴｒＦ  トランスデューサ（第１の加振器）、  ＴｒＢ  トランスデューサ（第２の加振器）、  Ｋ１  係合部、  Ｋ２  被係合部
【図１】
2016045316.tif 000003
【図２】
2016045316.tif 000004
【図３】
2016045316.tif 000005
【図４】
2016045316.tif 000006
【図５】
2016045316.tif 000007
【図６】
2016045316.tif 000008
【図７】
2016045316.tif 000009